(57)【要約】【課題】ヨー角速度の推定を高精度で行えるヨー角速度推定装置を提供する。【解決手段】現在のヨー角速度γ（ｔ）と操舵角速度とに基づいて、未来のヨー角速度γ（ｔ）を推定する。車体からヨー角速度γ（ｔ）を直接検出する場合に比べてハンドル操作からヨー角速度γ（ｔ）を算出した方が、タイムラグΔｔの分だけ位相が進んだヨー角速度γ（ｔ）を得ることができるため、未来のヨー角速度γ（ｔ）を精度良く推定することができる。【選択図】図３
2008189054.tif 000002
【特許請求の範囲】
【請求項１】
車両のヨー角速度を取得するヨー角速度取得手段と、
車両の操舵角を取得する操舵角取得手段と、
前記操舵角に基づいて操舵角速度を算出する操舵角速度算出手段と、
前記ヨー角速度および前記操舵角速度に基づいて、所定時間経過後のヨー角速度を推定する推定手段と、
を備えるヨー角速度推定装置。
【請求項２】
前記推定手段は、前記所定時間経過後の前記ヨー角速度が、前記操舵角速度に前記所定時間を乗じた値と前記ヨー角速度とを加えた値となるとして推定すること、
を特徴とする請求項１に記載のヨー角速度推定装置。
【発明の詳細な説明】
【技術分野】
【０００１】
本発明は、車両のヨー角速度を推定するヨー角速度推定装置に関するものである。
【背景技術】
【０００２】
従来、車両のヨー角速度を推定する手段を備えた装置として、車両の横加速度や車輪速に基づいてヨー角速度を推定する装置が知られている（例えば、特許文献１参照）。この装置は、横加速度センサおよび車速センサを備え、横加速度センサで検出した信号値と車速センサで検出した車速信号値に基づいてヨー角速度信号値を推定するものである。
【特許文献１】特許第３６３０２８０号公報
【発明の開示】
【発明が解決しようとする課題】
【０００３】
近年では車両制御や運転支援として、車両状態を推定して走行制御等を実施することが求められている。しかしながら、特許文献１の装置にあっては、現時点におけるヨー角速度を推定することはできても、所定時間経過後のヨー角速度を推定することができなかった。
【０００４】
また、現在から所定時間経過後の物理量を推定する方法として、単位時間あたりの物理量の変化、すなわち物理量の一階微分値に所定時間を乗じた値と現在の物理量とを加算することによって求める方法が一般的に知られている。この方法によって物理量を推定する場合、所定時間や一階微分値の変化の大きさに依存して、推定値と実際の値に大きな誤差が生まれるという問題があった。
【０００５】
そこで本発明は、このような技術課題を解決するためになされたものであって、ヨー角速度の推定を高精度で行えるヨー角速度推定装置を提供することを目的とする。
【課題を解決するための手段】
【０００６】
すなわち本発明に係るヨー角速度推定装置は、車両のヨー角速度を取得するヨー角速度取得手段と、車両の操舵角を取得する操舵角取得手段と、前記操舵角に基づいて操舵角速度を算出する操舵角速度算出手段と、前記ヨー角速度および前記操舵角速度に基づいて、所定時間経過後のヨー角速度を推定する推定手段と、を備えて構成される。
【０００７】
この発明によれば、現在のヨー角速度と操舵角速度とに基づいて、未来のヨー角速度を推定する。車両を操作する場合においては、ハンドル操作と車体応答との間には、タイムラグが生じる。この点に着目すると、操舵角の挙動はヨー角速度の挙動と連動し、尚且つヨー角速度よりも位相が進んでいるといえる。よって、車体からヨー角速度を直接検出する場合に比べてハンドル操作からヨー角速度を算出した方が、タイムラグの分だけ位相が進んだヨー角速度を得ることができる。このように、ヨー角速度よりも位相が進んだ操舵角を入力とすることによって、ヨー角速度を精度良く推定することができる。
【０００８】
ここで、上記効果を一層奏するために、ヨー角速度推定装置において、前記推定手段は、前記所定時間経過後の前記ヨー角速度が、前記操舵角速度に前記所定時間を乗じた値と前記ヨー角速度とを加えた値となるとして推定することが好適である。
【発明の効果】
【０００９】
本発明によれば、ヨー角速度の推定を高精度で行える。
【発明を実施するための最良の形態】
【００１０】
以下、添付図面を参照して本発明の実施形態について説明する。なお、図面の説明において同一の要素には同一の符号を付し、重複する説明を省略する。
【００１１】
図１は本発明の実施形態に係るヨー角速度推定装置の構成図である。本実施形態に係るヨー角速度推定装置１は、操舵角速度に基づいて現在から所定時間経過後のヨー角速度を推定する装置であって、例えば車両挙動を安定に制御するシステムなどに用いられる。
【００１２】
ヨー角速度推定装置１は、ヨーレートセンサ（ヨー角速度取得手段）２、操舵角センサ（操舵角取得手段）３、ＥＣＵ４を備えて構成される。ここで、ＥＣＵ（Electronic  Control  Unit）とは、電子制御する自動車デバイスのコンピュータであり、ＣＰＵ（Central  Processing  Unit）、ＲＯＭ（Read  Only  Memory）、ＲＡＭ（Random  Access  Memory）、および入出力インターフェイスなどを備えて構成されている。
【００１３】
ヨーレートセンサ２は、車両の水平方向の回転速度すなわちヨー角速度を検出するセンサであって、例えば車両の回転力によって発生する歪みを圧電素子によって測定することでヨー角速度を検出するものが用いられる。このヨーレートセンサ２は、ヨー角速度信号を検出してＥＣＵ４へ出力する機能を備えている。
【００１４】
操舵角センサ３は、ハンドルによってステアリングホイールが回転操作された角度を操舵角として検出するセンサである。この操舵角センサ３は、操舵角を検出してＥＣＵ４へ出力する機能を備えている。
【００１５】
ＥＣＵ４は、操舵角速度算出部（操舵角速度算出手段）４１およびヨー角速度推定部（推定手段）４２を備えて構成される。操舵角速度算出部４１は、操舵角センサ３から操舵角を入力し、時間微分することによって操舵角速度を算出する機能を備えている。また、算出した操舵角をヨー角速度推定部４２へ出力する機能を備えている。ヨー角速度推定部４２は、操舵角速度算出部４１から得られた操舵角速度と、ヨーレートセンサ２から得られたヨー角速度とに基づいて、ヨー角速度を推定する機能を備えている。
【００１６】
次に本実施形態に係るヨー角速度推定装置の動作について説明する。図２は、本実施形態に係るヨー角速度推定装置の動作を示すフローチャートである。図２の制御処理は、ＥＣＵ４で実行され、例えばイグニッションオンされてから所定のタイミングで繰り返し実行される。
【００１７】
図２の処理が開始されると、ヨー角速度センサ２からＥＣＵ４内にヨー角速度を入力する処理が開始される（Ｓ１０）。Ｓ１０の処理が完了すると操舵角入力処理へ移行する（Ｓ１２）。
【００１８】
Ｓ１２の処理は、操舵角センサ３からＥＣＵ４内に操舵角を入力する処理である。Ｓ１２の処理が完了すると、操舵角速度算出処理へ移行する（Ｓ１４）。
【００１９】
Ｓ１４の処理は、Ｓ１２の処理で得られた操舵角を入力とし、時間微分して操舵角速度を算出する処理である。Ｓ１４の処理が完了すると、ヨー角速度推定処理へ移行する（Ｓ１６）。
【００２０】
Ｓ１６の処理は、Ｓ１０で得られたヨー角速度およびＳ１４で得られた操舵角速度を用いてτ秒先のヨー角速度を推定する処理である。以下、推定方法について説明する。操舵角φが時間に依存する場合において、時刻ｔの操舵角φ（ｔ）が正弦波で表されるとし、振幅をφ０、角周波数をωとすると、操舵角φ（ｔ）は（１）式で表すことができる。
【数１】
2008189054.tif 000003
ここで、時刻ｔのヨー角速度γ（ｔ）は、操舵角φ（ｔ）が入力されてから応答するまでに要する時間、すなわち位相遅れによるタイムラグがある。この位相遅れをΔｔ、ヨー角速度γに対する操舵角φのゲインをＫとすると、ヨー角速度γ（ｔ）は（２）式で表すことができる。
【数２】
2008189054.tif 000004
【００２１】
（１）式および（２）式から、τ秒先のヨー角速度γ（ｔ＋τ）を推定する。時刻ｔのヨー角速度γ（ｔ）よりも位相Δｔだけ進んだ操舵角φ（ｔ）の時間変化にτを乗じた値と、現在のヨー角速度γ（ｔ）とを加えてτ秒先のヨー角速度γ（ｔ＋τ）を算出する。この方法によって求めたヨー角速度の推定結果は、（３）式で表すことができる。
【数３】
2008189054.tif 000005
Ｓ１６の処理では、（３）式を用いてヨー角速度を推定する。推定が完了すると、図２の制御処理は完了する。
【００２２】
以下、本実施形態に係るヨー角速度推定装置の効果を説明する。ここで、操舵角φ（ｔ）を（１）式、ヨー角速度γ（ｔ）を（２）式で表現する場合を説明する。また、ヨー角速度γに対する操舵角φのゲインＫは、簡略化のため１とする。図３は、操舵角およびヨー角速度の時間依存性と、ヨー角速度推定値を示すグラフである。
【００２３】
図３に示すように、実線で示す操舵角φ（ｔ）は正弦波であり、一点破線で示すヨー角速度γ（ｔ）よりもΔｔだけ位相が進んでいる。また、図３の操舵角φ（ｔ）およびヨー角速度γ（ｔ）の点線部分は、現在時刻ｔ０以降の操舵角φ（ｔ）およびヨー角速度γ（ｔ）の真値を示している。
【００２４】
ここで、現在時刻ｔ０において、現在時刻ｔ０以降のヨー角速度を推定する場合を考える。例えば、τ秒後のヨー角速度γ（ｔ０＋τ）を推定する場合である。まず、従来の方法によってτ秒後のヨー角速度を推定する。従来の推定方法は、現在の物理量の単位時間あたりの変化量に所定時間を乗じた値と現在の物理量とを加えて算出する方法である。ヨー角速度の推定結果は（２）式を用いて、（４）式で表すことができる。
【数４】
2008189054.tif 000006
これにより、時刻（ｔ０＋τ）において、従来の方法で推定されるヨー角速度は、図３のＰ２で示す値となる。
【００２５】
これに対し、本実施形態に係るヨー角速度推定装置１においては、従来の推定方法において使用した現在のヨー角速度γ（ｔ０）の単位時間あたりの変化量の代わりに、現在の操舵角φ（ｔ０）の単位時間あたりの変化量を採用する。これにより、操舵角φ（ｔ０）は、ヨー角速度γ（ｔ０）よりも位相がΔｔ進んでいるため、図３のＱで示す時点のヨー角速度の単位時間あたりの変化量を採用することができる。この方法によって求めたヨー角速度の推定結果は、（１）式、（３）式を用いて（５）式で表すことができる。
【数５】
2008189054.tif 000007
これにより、時刻（ｔ０＋τ）において、本実施形態に係るヨー角速度推定装置で推定されるヨー角速度は、図３のＰ３で示す値となり、Ｐ２で示す値よりも真値Ｐ１に近い値となる。また、本実施形態に係るヨー角速度推定装置１によって得られたヨー角速度推定値は、（４）式および（５）式から、Δｔだけ位相が進んだ推定値を得ることができている。
【００２６】
以上により、本実施形態に係るヨー角速度推定装置１によれば、ヨー角速度γ（ｔ）よりも位相がΔｔ進んだ操舵角φ（ｔ）の角速度を入力とすることによって、ヨー角速度γ（ｔ）を精度良く推定することができる。
【００２７】
なお、上述した各実施形態は本発明に係るヨー角速度推定装置の一例を示すものである。本発明に係るヨー角速度推定装置は、これらの実施形態に係るヨー角速度推定装置に限られるものではなく、各請求項に記載した要旨を変更しない範囲で、実施形態に係るヨー角速度推定装置を変形し、又は他のものに適用したものであってもよい。
【００２８】
例えば、本発明に係るヨー角速度推定装置において、操舵角は実施例に挙げた正弦波に限られるものではなく、余弦波や正弦波および余弦波の組み合わせであっても、本発明の効果を得ることができる。
【図面の簡単な説明】
【００２９】
【図１】本実施形態に係るヨー角速度推定装置の構成図である。
【図２】図１のヨー角速度推定装置の動作を示すフローチャートである。
【図３】図１のヨー角速度推定装置の効果を示すグラフである。
【符号の説明】
【００３０】
１…ヨー角速度推定装置、２…ヨー角速度センサ（ヨー角速度取得手段）、３…操舵角センサ（操舵角取得手段）、４…ＥＣＵ、４１…操舵角速度算出部（操舵角速度算出手段）、４２…ヨー角速度推定部（推定手段）。
【図１】
2008189054.tif 000008
【図２】
2008189054.tif 000009
【図３】
2008189054.tif 000010